(57)【要約】【課題】読み取りの終わった原稿を次の原稿と効率的に交換することができる画像読取装置を提供する。【解決手段】画像が記録された原稿が固定される原稿固定領域２３を上面の複数箇所に有した原稿台２０と、所定の読取領域内１ｂに配置される原稿の画像を読み取って、その画像を表す読取画像データを得る読取部３０と、上記原稿台２０が有している複数の原稿固定領域２３の位置が変わるようにその原稿台２０の向きを変えることによって、その原稿固定領域２３に固定されている原稿を上記読取領域１ｂに送る原稿台回動部７０とを備えた。【選択図】        図１
2005269499.tif 000002
【特許請求の範囲】
【請求項１】
画像が記録された原稿が固定される原稿固定領域を上面の複数箇所に有した原稿台と、
所定の読取領域内に配置される原稿の画像を読み取って、該画像を表す読取画像データを得る読取部と、
前記原稿台が有している複数の原稿固定領域の位置が変わるように該原稿台の向きを変えることによって、該原稿固定領域に固定されている原稿を前記読取領域に送る原稿移送部とを備えたことを特徴とする画像読取装置。
【請求項２】
前記読取領域に原稿が存在するときに、前記原稿固定領域に固定されて該読取領域外に存在する原稿を前記原稿台から外し、該原稿台外に存在する別の原稿を該原稿台に載せる原稿積替え部を備えたことを特徴する請求項１記載の画像読取装置。
【請求項３】
前記原稿台が、各原稿固定領域に固定される原稿のうち、前記読取領域外に存在する原稿については、該読取領域内に存在する原稿よりも弱く固定されるものであることを特徴とする請求項１記載の画像読取装置。
【発明の詳細な説明】
【技術分野】
【０００１】
本発明は、原稿画像を読み取って、原稿画像を表わす画像データを生成する画像読取装置に関する。
【背景技術】
【０００２】
近年、デジタルカメラの普及に伴って、撮影画像をデジタル化して扱うことが広範に行われている。撮影画像をデジタル化することによって、撮影画像をプリント出力するラボ側では、デジタル化された撮影画像（撮影画像データ）にパーソナルコンピュータ等を使って画像処理を施し、撮影画像の不具合を修正するなどといった付加サービスを提供することができる。また、ユーザ側においては、汎用のアルバムソフト等を使用することによって、パーソナルコンピュータ上で複数枚の撮影画像を容易に整理することができるうえ、それら複数枚の撮影画像をまとめてハードディスク等に記録しておくことによって、保管の際にかさ張らず、撮影画像を高画質なままで保管することができるなどという利点がある。
【０００３】
ところで、各家庭では、アルバムへの整理が煩雑な写真は、ラボから受け取った状態のまま死蔵されていることが多い。また、死蔵されている写真の中には、フィルムが紛失してしまって焼き増しができないものや、変色して画像が劣化してしまっているもある。撮影画像をデジタル化する利点が広く認められるのに伴い、近年では、このように死蔵されてしまいがちな写真の撮影画像も、デジタル化して画質を維持したり、パソコン上で管理したいなどという要望が高まっている。
【０００４】
このような要望に応えるために従来より利用されている装置の一例として、写真の撮影画像を読み取って撮影画像をデジタル化する複写機やフラットベットスキャナなどといった画像読取装置が知られている（例えば、特許文献１および特許文献２参照。）。このような画像読取装置を用いてプリント写真をデジタル化することにより、デジタルカメラで撮影された写真画像とともに昔のプリント写真をパソコンやテレビのディスプレイ上に表示させて閲覧したり、アルバムソフトなどを用いてパソコンで管理することができる。
【特許文献１】特開平１１−２５２３５１号公報
【特許文献２】特開２００２−１００５９号公報
【発明の開示】
【発明が解決しようとする課題】
【０００５】
このような画像読取装置を用いた画像読取サービスをラボ側で行う場合、例えば、従来のフラットベットスキャナのように、画像読取位置に原稿を１枚ずつ手動でセットする方式の画像読取装置では手間と時間がかかってしまうため、複数枚の写真を集積しておき、集積した中から写真を１枚ずつ取り出して画像読取位置にセットする搬送手段を備えた画像読取装置を使用することが考えられる。このような画像読取装置を使用することによって、写真上の撮影画像を読み取って撮影画像データを生成するまでの一連の処理時間と手間を軽減させることができる。
【０００６】
上記の搬送手段を備えた画像読取装置では、原稿を画像読取位置にセットするに当たって搬送手段によって実行される処理としては、例えば、原稿の読取終了後に、読み取りの終わった原稿を搬送手段によって画像読取位置から外し、そして、空いた画像読取位置に搬送手段によって次の原稿をセットするなどといった一連の処理が考えられる。しかしながら、このような一連の処理には未だ効率化の余地が十分に残されていると思われる。
【０００７】
本発明は、上記事情に鑑み、読み取りの終わった原稿を次の原稿と効率的に交換することができる画像読取装置を提供することを目的とする。
【課題を解決するための手段】
【０００８】
上記目的を達成する本発明の画像読取装置は、画像が記録された原稿が固定される原稿固定領域を上面の複数箇所に有した原稿台と、
所定の読取領域内に配置される原稿の画像を読み取って、その画像を表す読取画像データを得る読取部と、
上記原稿台が有している複数の原稿固定領域の位置が変わるようにその原稿台の向きを変えることによって、その原稿固定領域に固定されている原稿を上記読取領域に送る原稿移送部とを備えたことを特徴とする。
【０００９】
本発明の画像読取装置によれば、例えば、上記原稿台が有している複数の原稿固定領域それぞれに原稿をセットしておき、それら複数の原稿を、前記原稿移送部によって順次に上記読取領域に送るなどといった、読み取りの終わった原稿を次の原稿と交換するための効率的な運用を容易に実現することができる。
【００１０】
また、本発明の画像読取装置が、上記読取領域に原稿が存在するときに、上記原稿固定領域に固定されてその読取領域外に存在する原稿を上記原稿台から外し、その原稿台外に存在する別の原稿をその原稿台に載せる原稿積替え部を備えたという形態は好ましい形態である。
【００１１】
このような好ましい形態の画像読取装置によれば、原稿の積替えは、上記読取部が別の原稿を読み取っているときに上記原稿積替え部によって実行される。このため、上記読取部は、原稿の読取が終了した後すぐに次の原稿の読取を開始することができる。
【００１２】
また、本発明の画像読取装置が、上記原稿台が、各原稿固定領域に固定される原稿のうち、上記読取領域外に存在する原稿については、その読取領域内に存在する原稿よりも弱く固定されるものであるという形態も好ましい形態である。
【００１３】
このような好ましい形態の画像読取装置によれば、上記読取領域外に存在する原稿に対する固定力が弱いので、上記原稿積替え部によって、その原稿を上記原稿台から容易に外すことができる。また、上記読取領域外に存在する原稿に対する固定力は弱くとも消滅しているわけではないので、原稿を外した後に別の原稿を上記原稿台に載せる際には、上記原稿積替え部は、その別の原稿を上記原稿台に確実に載せることができる。
【発明の効果】
【００１４】
本発明の画像読取装置によれば、読み取りの終わった原稿を次の原稿と効率的に交換することができる。
【発明を実施するための最良の形態】
【００１５】
以下図面を参照して本発明の実施の形態を説明する。
【００１６】
図１は、本発明の一実施形態が適用された画像読取装置の外観構成図である。
【００１７】
この画像読取装置１は、写真やポストカードなどといったシート状の原稿上に記録された画像を読み取って、その画像を表わす画像データを生成する装置であり、未スキャン媒体収納箱１０と、原稿台２０と、表面読取装置３０と、裏面読取装置４０と、スキャン済媒体収納箱５０と、搬送装置６０と、原稿台回動部７０と、それら各種要素を制御する制御部（図示しない）とを備えている。また、画像読取装置１には、生成された画像データに画像処理等を施す本体装置１０１と、画像データが表わす画像を表示するとともに、制御部に各種指示を与える操作子が設けられたモニタ１０２とで構成されたパーソナルコンピュータが接続されている。
【００１８】
ここで、原稿台２０、表面読取装置３０、搬送装置６０、および原稿台回動部７０は、それぞれ本発明にいう、原稿台、読取部、原稿積替え部、および原稿移送部の各一例に相当する。
【００１９】
まずは、画像読取装置１を構成する各種要素について説明する。
【００２０】
図１に示す搬送装置６０は、未スキャン媒体収納箱１０と原稿台２０と裏面読取装置４０とスキャン済媒体収納箱５０の上を通って延びるガイドレール６１と、未スキャン媒体収納箱１０と原稿台２０との間、原稿台２０と裏面読取装置４０との間、および裏面読取装置４０とスキャン済み媒体収納箱５０との間をそれぞれ移動する第１〜第３の３つの搬送部６２ａ，６２ｂ，６２ｃを備えており、さらに、それら第１〜第３の搬送部６２ａ，６２ｂ，６２ｃは、原稿を吸着する吸着パット６０ａと、吸着パット６０ａを保持する伸縮自在な保持棒６０ｂをそれぞれ備えている。保持棒６０ｂが伸びることによって吸着パット６０ａが原稿上に移動されると、吸着パット６０ａは原稿を吸着する。続いて、保持棒６０ｂが吸着パット６０ａを保持したまま元の長さに縮むとともに、ガイドレール６１に沿って移動することによって、原稿が搬送される。また、第１〜第３の搬送部６２ａ，６２ｂ，６２ｃは、互いに同期して移動し、第１の搬送部６２ａが未スキャン媒体収納箱１０と原稿台２０との間を移動するときには、第２の搬送部６２ｂは原稿台２０と裏面読取装置４０との間を移動し、第３の搬送部６２ｂは裏面読取装置４０とスキャン済み媒体収納箱５０との間を移動する。
【００２１】
未スキャン媒体収納箱１０は、上部が開口した箱形状を有しており、画像が読み取られる前の原稿１０ａが、表面を上にして積み重ねられて収納されている。
【００２２】
未スキャン媒体収納箱１０内に収納された原稿１０ａは、第１の搬送部６２ａによって１枚ずつ取り出されて、原稿台２０に搬送される。
【００２３】
原稿台２０には、表面と裏面とを貫通する複数の貫通孔２３ａが穿たれてなる方形状の原稿固定領域２３を２箇所備えた円形の吸着板２１と、吸着板２１の裏側に設けられたファン２２とが備えられている。
【００２４】
また、上記のファン２２の下側には原稿台回動部７０が備えられている。そして、上記の吸着板２１上に設けられた２箇所の原稿固定領域２３の位置が、レール６１の直下にあって未スキャン媒体収納箱１０から搬送されてくる原稿を受け取る受取位置１ａと、表面読取装置３０の下にあって受け取った原稿上の画像が表面読取装置３０によって読み取られる読取位置１ｂとの間を相互に入れ替わるように、矢印Ｒ１に示す右回り方向に１８０度、あるいは矢印Ｒ２に示す左回り方向に１８０度、原稿台２０が原稿台回動部７０によって回動される。
【００２５】
未スキャン媒体収納箱１０から搬送されてきた原稿は、２箇所の原稿固定領域２３のうち、上記の受取位置１ａに配置され、ファン２２が貫通孔２３ａを介して空気を裏側から吸引することによって、その原稿が原稿固定領域２３に吸着される。そして、原稿台２０が原稿台回動部７０によって矢印Ｒ１に示す右回り方向に１８０度回動されることによって、原稿固定領域２３に吸着された原稿が上記の読取位置１ｂに送られる。
【００２６】
表面読取装置３０は、表面撮像部３２と、蛍光灯３３と、フレア防止板３４とを備えている。フレア防止板３４は、原稿台２０上で原稿が配置される位置に相応する部分のみくり抜かれており、原稿からの反射光以外の光を遮る。原稿固定領域２３に吸着された原稿が読取位置１ｂに送られてくると、原稿固定領域２３に向けて蛍光灯３３によって白色光が照射され、原稿固定領域２３に吸着された原稿の表面で反射された光が表面撮像部３２によって読み取られて、原稿の表面上に記録された表面画像を表わす表面画像データが生成される。尚、原稿の表面には、通常は、撮影画像などといったカラー画像が記録されており、表面画像に関しては、高速な読み取りよりも高画質な読み取りが求められる。この例では、表面撮像部３２には、レンズと、単版のエリアＣＣＤと、ＲＧＢ３色のカラーフィルタと、それら３色のカラーフィルタを切り替えるターレットとが備えられており、ターレットによってフィルタを切り替えながら、ＲＧＢ各色ごとに画像の読み取りが行われる。表面読取装置を構成する要素としては、例えば、蛍光灯３３の替わりにＬＥＤを用いたり、単版のエリアＣＣＤと３色のカラーフィルタとターレットとの替わりに、３色の画像を一度で読み取ることができるカラーのエリアＣＣＤ等を用いるものであってもよい。生成された表面画像データは、制御部（図示しない）を経由してパーソナルコンピュータの本体部１０１に送られる。表面画像が読み取られると、原稿台２０が原稿台回動部７０によって矢印Ｒ２に示す左回り方向に１８０度回動されることによって、表面読取済みの原稿は受取位置１ａに戻される。そして、この表面読取済みの原稿は、第２の搬送部６２ｂによって吸着されて裏面読取部４０に搬送される。また、前述したように、第１〜第３の搬送部６２ａ，６２ｂ，６３ｃは互いに同期して移動するので、表面読取済みの原稿が、第２の搬送部６２ｂによって裏面読取部４０に搬送されるときには、第１の搬送部６２ａによって未スキャン媒体収納箱１０から原稿台２０へ新たな原稿が搬送される。また後述の裏面読取部４０上に裏面読取済みの原稿が載っているときには、この裏面読取済みの原稿がスキャン済み媒体収納箱５０へ搬送される。
【００２７】
裏面読取部４０には、原稿が配置される部分が透明なガラスで構成された配置台４１と、配置台４１の裏側に設けられた裏面用撮像部４２とが備えられている。この例では、表面用撮像部３２と同様の構成を有する裏面用撮像部４２が適用されている。第２の搬送部６２ｂによって搬送されてきた原稿が、この第２の搬送部６２ｂによって配置台４１に押し付けられると、原稿の裏面に記録された裏面画像が裏面用撮像部４２によって読み取られる。ここで、原稿の裏面には、例えば、原稿の印刷紙種別を表わす記号や文字、プリント年月日などといった情報が記録されており、裏面画像に関しては、読み取りの画質よりも読み取り速度が求められる。したがって、裏面読取部４０の裏面用撮像部４２は、カラーのラインＣＣＤ等を用いて、ＲＧＢ３色の画像を一度に読み取るものであってもよい。裏面画像が読み取られて生成された裏面画像データは、制御部（図示しない）を経由してパーソナルコンピュータの本体部１０１に送られる。裏面画像が読み取られた原稿は、第３の搬送部６２ｃによって吸着されて、スキャン済媒体収納箱５０に搬送される。
【００２８】
スキャン済媒体収納箱５０も、未スキャン媒体収納箱１０と同様に、上部が開口した箱形状を有しており、第３の搬送部６２ｃによって搬送されてきた原稿が内部に積み重ねられて集積される。
【００２９】
以上のようにして原稿上の画像が読み取られて生成された表面画像データや裏面画像データは、本体部１０１からモニタ１０２に送られて、モニタ１０２で表示される。また、生成された表面画像データは、本体部１０１において所定の画像処理が施されたり、裏面画像データが示す各種情報が付加されて、ＣＤ−ＲＯＭなどに記憶される。
【００３０】
画像読取装置１は、基本的には以上のように構成されている。
【００３１】
ここで、画像読取装置１における本発明の画像読取装置としての特徴は、原稿が未スキャン媒体収納箱１０から原稿台２０へ搬送されてから、原稿台２０外へと搬送されるまでの一連の手順と、原稿台２０の構成にあり、以下では、これらの事項について詳しく説明する。また、以下の説明では、図１を適宜に参照する。
【００３２】
まず、搬送装置６０による原稿の搬送手順のうちの上記の特徴的な部分について、図２〜図６を参照して説明する。
【００３３】
図２は、未スキャン媒体収納箱から原稿台へ原稿が搬送される様子を示す模式図であって、図２のパート（Ａ）に上面図が示され、図２のパート（Ｂ）に側面図が示されている。この図２に示すように、未スキャン媒体収納箱１０に収納されていた原稿Ａは、第１の搬送部６２ａの矢印Ｓ１方向への移動と矢印Ｓ２方向への伸縮によって、原稿台２０上の、上記の受取位置１ａにある原稿固定領域２３へ搬送される。また、このときには、上記の読取位置１ｂにある原稿Ｃに対して表面画像の読取が実行されており、さらに、既に表面画像の読取が終了した原稿Ｂに対する裏面読取部４０への搬送および裏面画像の読取と、既に裏面画像の読取が終了した原稿Ｄに対するスキャン済媒体収納箱５０への搬送も同時に実行される。上記の原稿Ｂは、第２の搬送部６２ｂの矢印Ｓ３方向への移動によって裏面読取部４０へ搬送され、さらに第２の搬送部６２ｂの矢印Ｓ４方向への伸長によって裏面読取部４０の配置台４１に押し付けられる。そして、配置台４１に押し付けられた状態で裏面画像を読み取られる。また、上記の原稿Ｄに対するスキャン済媒体収納箱５０への搬送は、第３の搬送部６２ｃの矢印Ｓ５方向への移動と矢印Ｓ６方向への伸縮によって実行される。また図２には、上記の原稿Ａが原稿台２０へ搬送されたことにより、未スキャン媒体収納箱１０内の一番上に、別の原稿Ｅが現れている様子も示されている。
【００３４】
図３は、図２において原稿台に搬送されて来た原稿が読取位置１ｂに送られる様子を示す模式図であって、図３のパート（Ａ）に上面図が示され、図４のパート（Ｂ）に側面図が示されている。
【００３５】
この図３に示すように、原稿台２０に搬送されて来た原稿Ａは、上記の読取位置１ｂにあった原稿Ｃに対する表面画像の読取が終了した時点で、原稿台２０が原稿台回動部７０によって矢印Ｒ１が示す右回り方向に１８０度回動されることによって上記の読取位置１ｂに送られる。そして、上記の原稿Ａの代わりに、表面画像の読取が終了した原稿Ｃが受取位置１ａに送られてくる。また、このときには、第１〜第３の搬送部６２ａ，６２ｂ，６２ｃは、それぞれ矢印Ｓ７方向、矢印Ｓ８方向、および矢印Ｓ９方向へ移動し、各搬送部に対応する初期位置に戻る。ここで、第１の搬送部６２ａの初期位置は未スキャン媒体収納箱１０の開口部の直上であり、第２の搬送部６２ｂの初期位置は上記の受取位置１ａの直上であり、第３の搬送部６２ｃの初期位置は裏面読取部４０の直上である。
【００３６】
図４は、図２おいて原稿台に搬送されて来た原稿に対して表面画像の読取が実行されているときに、受取位置１ａに別の原稿が搬送されて来る様子を示す模式図であって、図３のパート（Ａ）に上面図が示され、図４のパート（Ｂ）に側面図が示されている。
【００３７】
この図４に示されている、各搬送部６２ａ，６２ｂ，６２ｃの動作は、図２を参照して説明した各搬送部６２ａ，６２ｂ，６２ｃの動作と同一であるので重複説明を省略する。ただ、図４では、図２において原稿台２０に搬送され、図３において読取位置１ｂに送られた原稿Ａに対して表面画像の読取が実行され、その間に、既に表面画像の読取りが終了した原稿Ｃに対する裏面読取部４０への搬送と裏面画像の読取り、既に裏面画像の読取りが終了した原稿Ｂのスキャン済媒体収納箱５０への搬送、および未スキャン媒体収納箱１０から原稿台２０への新たな原稿Ｅの搬送が実行される。また図４には、上記の原稿Ｅが原稿台２０へ搬送されたことにより、未スキャン媒体収納箱１０内の一番上に、別の原稿Ｆが現れている様子も示されている。
【００３８】
図５は、図２において原稿台に搬送されて来た原稿が、表面画像の読取が終了した時点で受取位置１ａに送られて来る様子を示す模式図であって、図３のパート（Ａ）に上面図が示され、図４のパート（Ｂ）に側面図が示されている。
【００３９】
この図５では、図４において原稿の搬送を実行した各搬送部６２ａ，６２ｂ，６２ｃが、それぞれの初期位置に復帰する。この復帰動作は、図３に示す復帰動作と同様であるので重複説明を省略する。
【００４０】
また、この図５では、図２において原稿台２０に搬送され、図３において読取位置１ｂに送られた原稿Ａに対する表面画像の読取が終了すると、この原稿Ａが、原稿台２０が原稿台回動部７０によって矢印Ｒ２が示す左回り方向に１８０度回動されることによって上記の受取位置１ａに送られる。そして、上記の原稿Ａの代わりに、この時点で受取位置１ａにある原稿Ｅが読取位置１ｂに送られる。ここで、原稿台２０の回転方向が、図３を参照して説明した、上記の原稿Ａを読取位置１ｂに送るときと逆方向となるのは、原稿台２０が備えているファン２２に接続されている電源ケーブルなどといったケーブル類が、原稿台２０の回動に伴って巻きついてしまうことを防止するためである。
【００４１】
図６は、図２において原稿台に搬送されて来た原稿が原稿台外へと搬送される様子を示す模式図であって、図３のパート（Ａ）に上面図が示され、図４のパート（Ｂ）に側面図が示されている。
【００４２】
この図６に示されている、各搬送部６２ａ，６２ｂ，６２ｃの動作も、図２を参照して説明した各搬送部６２ａ，６２ｂ，６２ｃの動作と同一であるので重複説明を省略する。
【００４３】
この図６では、図２において原稿台２０に搬送され、図３において読取位置１ｂに送られ、図５において受取位置１ａに戻された原稿Ａは、読取位置１ｂにある原稿Ｅの表面画像が読取られているときに、裏面読取部４０へ搬送されて裏面画像を読取られる。また、上記の原稿Ａが外された原稿台２０には、未スキャン媒体収納箱１０から新たな原稿Ｆが搬送され、未スキャン媒体収納箱１０の一番上には別の原稿Ｇが現れる。また、既に裏面画像の読取りが終了した原稿Ｃはスキャン済媒体収納箱５０に搬送される。
【００４４】
以上、説明したように、本実施形態では、原稿台２０における２箇所の原稿固定部２３のうちの一方が、表面読取装置３０の下の読取位置１ｂにあって、その原稿固定部２３に固定されている原稿の表面画像が読取られているときに、レール６１の下の受取位置１ａにある原稿固定部２３に固定されている原稿が、未スキャン媒体収納箱１０から搬送されて来る別の原稿と交換される。この原稿の交換は、表面画像が読取られている間に終了してしまうので、１つの原稿に対する表面画像の読取りが終了すると、すぐに原稿台２０を回動させて、次の原稿に対する表面画像の読取りを実行することができる。
【００４５】
図７は、図２〜図６に示す画像読取りの一連の動作を表わすタイミングチャートである。
【００４６】
図７には、搬送装置６０の移動を表わすチャートＴ１と、原稿台２０の回動を表わすチャートＴ２と、表面画像の読取りを表わすチャートＴ３とが示されている。
【００４７】
搬送装置６０の移動を表わすチャートＴ１は、図２、図４、および図６に示す、原稿の搬送ステップＳＴ１と、図３および図５に示す、各搬送部６２ａ，６２ｂ，６２ｃの初期位置への復帰ステップＳＴ２とが交互に繰り返される様子を表わしている。
【００４８】
また、原稿台２０の回動を表わすチャートＴ２は、図３に示す右回りの回動ステップＳＴ３と、図５に示す左回りの回動ステップＳＴ４とが交互に繰り返される様子を表わしている。ただし、これらの２種類の回動ステップＳＴ３，ＳＴ４は、両方とも上記の搬送装置６０の移動を表わすチャートＴ１における復帰ステップＳＴ２が開始されると始まる。
【００４９】
また、表面画像の読取りを表わすチャートＴ３は、ＲＧＢ各色ごとの画像の読取りステップＳＴ５Ｒ，ＳＴ５Ｇ，ＳＴ５Ｂからなる１セットの画像読取りステップＳＴ５が繰り返される様子を表わしている。この画像読取りステップＳＴ５は、上記の右回りの回動ステップＳＴ３、あるいは左回りの回動ステップＳＴ４が終了したタイミングで開始される。
【００５０】
本実施形態の画像読取装置１は、これらの様々なステップが、なるべく無駄時間が生じないようなタイミングで実行されるように制御されている。
【００５１】
例えば、図７に示すように、原稿台２０に原稿が１枚も載っていない状態から処理がスタートすると、まず、搬送ステップＳＴ１が実行され、原稿台２０に原稿が搬送される。搬送ステップＳＴ１が終了すると、直ぐに復帰ステップＳＴ２が開始される。同時に右回りの回動ステップＳＴ３が実行され、原稿が上記の読取位置１ｂに送られる。そして、この回動ステップＳＴ３が終了すると、直ぐに画像読取りステップＳＴ５が開始される。そして、この画像読取りステップＳＴ５の実行中に、上記の復帰ステップＳＴ２が終了すると、再び搬送ステップＳＴ１が実行され、原稿台２０に新たな原稿が搬送される。このように、本実施形態の画像読取装置１よれば、原稿に対する画像の読取りと、読み取りの終わった原稿と次の原稿との交換を効率的に実行することができる。
【００５２】
次に、原稿台２０の内部構造について説明する。
【００５３】
図８は、図１に示す原稿台の内部構造を示す断面図である。図８のパート（Ａ）には原稿台２０の上面図が示され、図８のパート（Ｂ）には原稿台２０の断面図が示されている。
【００５４】
図１を参照して説明したように、原稿台２０は、円形の吸着板２１と、その吸着板２１の下部に設けられたファン２２とを備えている。吸着板２１には複数の貫通孔２３ａが穿たれてなる方形状の原稿固定領域２３が２箇所設けられており、内部に吸引器２２ａを備えたファン２２によって、上記の貫通孔２３ａから外気を吸引している。これにより、原稿固定領域２３上に原稿が載せられると、その原稿が原稿固定領域２３に吸着される。
【００５５】
ところで、本実施形態の画像読取装置１では、上記の２箇所の原稿固定領域２３は、いずれか一方が、原稿の受け渡しが実行される受取位置１ａに配置され、もう一方が、画像の読取りが実行される読取位置１ｂに配置される。
【００５６】
図８に示す原稿台２０の内部には、上記の読取位置１ｂにある原稿固定領域２３からの外気の流れＵ１はそのままにして、上記の受取位置１ａにある原稿固定領域２３からの外気の流れＵ２を阻害する仕切り版２４が設けられている。この結果、受取位置１ａにある原稿固定領域２３における原稿の吸引力は、読取位置１ｂにある原稿固定領域２３における原稿の吸引力よりも弱くなる。
【００５７】
また、前述したように、原稿台２０は原稿台回動部７０によって回動されるが、上記の仕切り版２４は、この原稿台２０の動きに同期し、かつ逆方向に回動される。例えば、図８のパート（Ａ）の矢印Ｒ１が示すように原稿台２０が右回りに１８０度回動するときには、この動きに同期して、仕切り版２４が、矢印Ｒ３が示すように左回りに１８０度回動される。従って、原稿台２０が回動されて、上記の２箇所の原稿固定領域２３の位置が、受取位置１ａと読取位置１ｂとの間を相互に入れ替えられたとしても、仕切り版２４が原稿台２０の回動方向とは逆方向に回動されることにより、受取位置１ａにある原稿固定領域２３における原稿の吸引力は、読取位置１ｂにある原稿固定領域２３における原稿の吸引力よりも常に弱くなる。
【００５８】
仕切り版２４のこのような働きにより、読取位置１ｂにある原稿は、画像の読み取り中は原稿が動かないように原稿固定領域２３に強く吸着され、受取位置１ａにある原稿は、搬送装置６０によって容易に原稿台２０から外されるように原稿固定領域２３に弱く吸着される。
【００５９】
以上、図１から図８を参照して説明したように、本実施形態の画像読取装置１によれば、原稿に対する画像の読取りと、読み取りの終わった原稿と次の原稿との交換を効率的かつ容易に実行することができる。
【００６０】
尚、上記の説明では、本発明にいう原稿台として、原稿が固定される２箇所の原稿固定領域２３そ備えた原稿台２０を例示したが、本発明はこれに限るものではない。例えば、本発明にいう原稿台は、原稿が固定される原稿固定領域を３箇所備えるものであってもよい。このような原稿台を用いる場合には、画像読取装置の中に画像が読取られる読取位置と、原稿が受取られる受取位置と、原稿が受渡される受渡位置との３つの位置が設けられ、これらの３つの位置の間で、上記の３箇所の原稿固定領域の位置が相互に入れ替えられるように回動されることとなる。
【００６１】
また、上記の説明では、本発明にいう原稿台として、原稿を受取位置１ａから読取位置１ｂに送るときに、原稿台回動部７０によって、右回りに１８０度あるいは左回りに１８０度回動される原稿台２０を例示したが、本発明はこれに限るものではない。例えば、本発明にいう原稿台は、原稿を受取位置１ａから読取位置１ｂに送るときには常に同じ方向に回動されるものであってもよい。
【図面の簡単な説明】
【００６２】
【図１】本発明の一実施形態が適用された画像読取装置の外観構成図である。
【図２】未スキャン媒体収納箱から原稿台へ原稿が搬送される様子を示す模式図である。
【図３】図２において原稿台に搬送されて来た原稿が読取位置１ｂに送られる様子を示す模式図である。
【図４】図２おいて原稿台に搬送されて来た原稿に対して表面画像の読取が実行されているときに、受取位置１ａに別の原稿が搬送されて来る様子を示す模式図である。
【図５】図２において原稿台に搬送されて来た原稿が、表面画像の読取が終了した時点で受取位置１ａに送られて来る様子を示す模式図である。
【図６】図２において原稿台に搬送されて来た原稿が原稿台外へと搬送される様子を示す模式図である。
【図７】図２〜図６に示す画像読取りの一連の動作を表わすタイミングチャートである。
【図８】図１に示す原稿台の内部構造を示す断面図である。
【符号の説明】
【００６３】
１    画像読取装置
１ａ    受取位置
１ｂ    読取位置
１０    未スキャン媒体収納箱
１０ａ    原稿
２０    原稿台
２１    吸着板
２２    ファン
２２ａ    吸引器
２３ａ    貫通孔
２３    原稿固定領域
３０    表面読取装置
３２    表面撮像部
３３    蛍光灯
３４    フレア防止板
４０    裏面読取装置
４１    配置台
４２    裏面用撮像部
５０    スキャン済媒体収納箱
６０    搬送装置
６０ａ    吸着パット
６０ｂ    保持棒
６１    ガイドレール
６２ａ，６２ｂ，６２ｃ    搬送部
７０    原稿台回動部
１０１    本体装置
１０２    モニタ
【図１】
2005269499.tif 000003
【図２】
2005269499.tif 000004
【図３】
2005269499.tif 000005
【図４】
2005269499.tif 000006
【図５】
2005269499.tif 000007
【図６】
2005269499.tif 000008
【図７】
2005269499.tif 000009
【図８】
2005269499.tif 000010